(57)【要約】【課題】設置作業が容易な日除けスクリーン装置を提供する。【解決手段】サッシュ窓５０の両側のサッシュ縦枠５１の上部に着脱自在に装着される一対の取付具１１と、この取付具１１に支持可能であり、伸縮自在なロールスクリーン１２を巻き取り、内蔵した、ロールスクリーン本体１３と、ロールスクリーン１２の先端部に配置されるその長さが調整可能な取付ベルト１４と、この取付ベルト１４の先端が連結される、手摺側またはサッシュ縦枠の下部に着脱自在に装着される固定具１５とを備える。【選択図】    図１
2005009096.tif 000002
【特許請求の範囲】
【請求項１】
サッシュ窓の両側のサッシュ縦枠の上部に着脱自在に装着される一対の取付具と、
前記取付具に支持可能であり、伸縮自在なロールスクリーンを巻き取り、内蔵した、ロールスクリーン本体と、
前記ロールスクリーンの先端部に配置される長さが調整可能な取付ベルトと、前記取付ベルトの先端が連結される、手摺側または前記サッシュ縦枠の下部に着脱自在に装着される固定具と、
を備えることを特徴とする日除けスクリーン装置。
【請求項２】
前記取付具は、前記サッシュ縦枠に対して摺動嵌合する嵌合溝部と、前記ロールスクリーン本体の支持ブラケット部を有し、この支持ブラケットに対して、前記ロールスクリーン本体に内装され、かつロールスクリーンの巻き取り軸方向にスライド可能な保持板が、ビスを介して連結固定されることを特徴とする請求項１に記載の日除けスクリーン装置。
【請求項３】
前記取付ベルトは、途中で分離、連結可能に構成され、かつ前記ロールスクリーンの先端部において、ロールスクリーンの巻き取り軸方向に移動可能に取付けられることを特徴とする請求項１または２に記載の日除けスクリーン装置。
【請求項４】
前記ロールスクリーンは、メッシュ状の素材で形成されることを特徴とする請求項１から３のいずれか一つに記載の日除けスクリーン装置。
【発明の詳細な説明】
【０００１】
【発明の属する技術分野】
この発明はマンションのベランダなどに最適な日除けスクリーン装置に関する。
【０００２】
【従来の技術】
従来、この種の日除けスクリーン装置として、図７に示すものがある（特許文献１参照）。
【０００３】
これについて説明すると、サッシュ窓の両側に取付けられる一対のサッシュバー２と、各サッシュバー２の上部に渡って連結されるロールスクリーン本体３と、ロールスクリーン本体３から引き出されたロールスクリーン４と、各サッシュバー２の溝に係合して突出しロールスクリーン４の先端部を支持する一対のブラケット５と、各サッシュバー２の溝に係合してスライドしロールスクリーン４の途中を支持する中間支持部材６などを備える。
【０００４】
これにより、日照条件などに応じてロールスクリーン４の引き出し部の高さや張り出し部の角度を変えられるようになっている。
【０００５】
【特許文献１】
特開平１０−２０５２５５号公報
【０００６】
【発明が解決しようとする課題】
しかしながら、このような従来の日除けスクリーン装置にあっては、サッシュバー２の間隔がロールスクリーン本体３や中間支持部材６などの寸法によって決まる構造のため、設置できるサッシュ窓の大きさが制約され、設置作業に手間がかかるという問題点があった。
【０００７】
本発明は上記の問題点に鑑みてなされたものであり、設置作業が容易な日除けスクリーン装置を提供することを目的とする。
【０００８】
【課題を解決するための手段】
第１の発明は、サッシュ窓の両側のサッシュ縦枠の上部に着脱自在に装着される一対の取付具と、この取付具に支持可能であり、伸縮自在なロールスクリーンを巻き取り、内蔵した、ロールスクリーン本体と、ロールスクリーンの先端部に配置される長さが調整可能な取付ベルトと、この取付ベルトの先端が連結される、手摺側またはサッシュ縦枠の下部に着脱自在に装着される固定具とを備えたことを特徴とするものとした。
【０００９】
第２の発明は、第１の発明において、取付具は、サッシュ縦枠に対して摺動嵌合する嵌合溝部と、ロールスクリーン本体の支持ブラケット部を有し、この支持ブラケットに対して、ロールスクリーン本体に内装され、かつロールスクリーンの巻き取り軸方向にスライド可能な保持板が、ビスを介して連結固定されることを特徴とするものとした。
【００１０】
第３の発明は、第１または第２の発明において、取付ベルトは、途中で分離、連結可能に構成され、かつロールスクリーンの先端部において、ロールスクリーンの巻き取り軸方向に移動可能に取付けられることを特徴とするものとした。
【００１１】
第４の発明は、第１から第３のいずれか一つの発明において、ロールスクリーンは、メッシュ状の素材で形成されることを特徴とするものとした。
【００１２】
【発明の作用および効果】
第１の発明によると、ロールスクリーン本体を支持する取付具が、サッシュ縦枠に対して着脱自在に装着されるので、既存のサッシュ窓に対して、特別の支持金具を要さずにワンタッチで取付けられる。
【００１３】
また、ロールスクリーンは、先端部の取付ベルトにより、ベランダの手摺りあるいは、サッシュ縦枠下部の固定具の、いずれかに選択的に連結できるで、傾斜する屋根型の日除けスクリーンとして、あるいは垂直な簾型のスクリーンとして、日光の差し込み状態に応じて、自由な使用と対応が可能である。
【００１４】
第２の発明によると、ロールスクリーン本体を取付具に連結する保持板が、ロールスクリーン巻き取り軸方向にスライドするので、ロールスクリーン本体の軸方向長さと、サッシュ窓の幅とにずれがあっても簡単に調整でき、幅広い大きさのサッシュ窓に適応できる。
【００１５】
第３の発明によると、取付ベルトはロールスクリーンの巻き取り軸方向にスライドするので、各固定具の幅やベランダの手摺りなどに応じて簡単に調整できる。
【００１６】
第４の発明によると、メッシュ状の素材で形成されたロールスクリーンは、日除けの機能を果たすとともに、室内が暗くならずに済む。
【００１７】
【発明の実施の形態】
以下、本発明の実施の形態を添付図面に基づいて説明する。
【００１８】
図１に示すように、日除けスクリーン装置１０はマンションなどのサッシュ窓５０の外側に設けられ、ユーザーが自分で設置できるものである。
【００１９】
日除けスクリーン装置１０は、両側のサッシュ縦枠５１の上部に着脱自在に装着される一対の取付具１１と、この取付具１１に支持可能であり、伸縮自在なロールスクリーン１２を巻き取り、内蔵した、ロールスクリーン本体１３と、ロールスクリーン１２の先端部に配置される長さ調整可能な一対の取付ベルト１４と、この取付ベルト１４の先端が連結される、マンションなどのサッシュ縦枠５１の下部または手摺側に着脱自在に装着される固定具１５とを備える。
【００２０】
図２に示すように、取付具１１は、サッシュ縦枠５１に対して摺動嵌合する嵌合溝部１１ａを有する。取付具１１は、その取付け時に木づち４９などを用いてサッシュ縦枠５１に打ち込まれる。また、取付具１１は、木づち２０などを用いて逆方向から打たれることによりサッシュ縦枠５１からその取り外される。
【００２１】
図３に示すように、取付具１１は、ロールスクリーン本体１３の支持ブラケット部１１ｂを有する。一方、ロールスクリーン本体１３にはロールスクリーン１２の巻き取り軸方向に延びるガイド溝１３ａを有し、このガイド溝１３ａに一対の保持板１６がスライド可能に収められる。各支持ブラケット部１１ｂがドライバ４８などを用いてビス１７によって保持板１６に締結されることにより、支持ブラケット部１１ｂと保持板１６とロールスクリーン本体１３が連結固定される。
【００２２】
固定具１５は、サッシュ縦枠５１に対して摺動嵌合する嵌合溝部１５ａとフック部１５ｂを有する。固定具１５は、その取付け時に前記取付具１１と同じく木づちなどを用いてサッシュ縦枠５１に打ち込まれる。
【００２３】
図４に示すように、取付ベルト１４は、途中でバックル２０を介して分離、連結可能に構成されるとともに、その長さが調整可能に構成されている。
【００２４】
取付ベルト１４の基端部１４ａはロールスクリーン１２の先端部において、ロールスクリーン１２の巻き取り軸方向に移動可能に取付けられている。ロールスクリーン１２の先端部にバー１８が取付けられ、このバー１８にロールスクリーン１２の巻き取り軸方向に延びるガイド溝１８ａが形成される。一方、取付ベルト１４の基端部１４ａにはこのガイド溝１８ａに移動可能に収められる棒状のコマ１９が取付けられ、ガイド溝１８ａから取付ベルト１４の延び方向に抜けないようになっている。
【００２５】
取付ベルト１４の先端部１４ｂにはリング２１が取付けられる。このリング２１が固定具１５のフック部１５ｂに掛けられる。
【００２６】
ロールスクリーン１２は、メッシュ状の素材で形成され、日除けの機能を果たすとともに、室内が暗くならずに済み、室内からロールスクリーン１２を透して外の景色などが見えるようになっている。
【００２７】
図１に示すように、ロールスクリーン１２は、取付ベルト１４によりサッシュ縦枠５１下部の固定具１５に連結することにより、垂直な簾型のスクリーンとして利用できる。
【００２８】
また、図５に示すように、ロールスクリーン１２は、取付ベルト１４によりベランダの手摺り５２に連結することにより、傾斜する屋根型の日除けスクリーンとして利用できる。この場合、図６に示すように、取付ベルト１４の先端部分を手摺り５２に連結しておけば、バックル２０を介して容易に着脱できる。
【００２９】
以上のように、ロールスクリーン本体１３を支持する取付具１１が、サッシュ縦枠５１に対して着脱自在に装着されるので、既存のサッシュ窓５０に対して、特別の支持金具を要さずにワンタッチで取付けられる。
【００３０】
ロールスクリーン本体１３を取付具１１に連結する保持板１６が、ロールスクリーン１２の巻き取り軸方向にスライドするので、ロールスクリーン本体１３の軸方向長さと、サッシュ窓５０の幅とにずれがあっても簡単に調整でき、幅大きさのある程度異なるベランダのサッシュ窓５０に適応できる。
【００３１】
取付ベルト１４の基端部１４ａはロールスクリーン１２の巻き取り軸方向にスライドするので、各固定具１５の幅やベランダの手摺り５２などに応じて簡単に調整できる。
【００３２】
本発明は上記の実施の形態に限定されずに、その技術的な思想の範囲内において種々の変更がなしうることは明白である。
【図面の簡単な説明】
【図１】本発明の実施の形態を示す日除けスクリーン装置の斜視図。
【図２】同じく取付具などの斜視図。
【図３】同じく取付具とロールスクリーン本体などの斜視図。
【図４】同じく取付ベルトなどの斜視図。
【図５】同じく日除けスクリーン装置の斜視図。
【図６】同じく取付ベルトなどの斜視図。
【図７】従来例を示す日除けスクリーン装置の斜視図。
【符号の説明】
１０  日除けスクリーン装置
１１  取付具
１２  ロールスクリーン
１３  ロールスクリーン本体
１４  取付ベルト
１５  固定具
１６  保持板
５０  サッシュ窓
５１  サッシュ縦枠
【図１】
2005009096.tif 000003
【図２】
2005009096.tif 000004
【図３】
2005009096.tif 000005
【図４】
2005009096.tif 000006
【図５】
2005009096.tif 000007
【図６】
2005009096.tif 000008
【図７】
2005009096.tif 000009